(57)【要約】【課題】  体の不自由な被介護者の自立を促すとともに、介助者の負担を軽減し、安全で使いやすい介護用シャワー椅子を提供すること。【解決手段】脚部と、座部と、背もたれとを有する介護用シャワー椅子であって、座部を少なくともベース盤と座盤で構成し、ベース盤上に座盤を回転可能に載置し、座盤の回転ロック手段と、回転範囲規制手段を設けることを特徴とする介護用シャワー椅子を提供する。上記介護用シャワー椅子は、背もたれの左右の支柱を前下方にそれぞれ延設して前脚とし、背もたれの左右の支柱に後脚上端部をそれぞれ枢着し、左右の後脚間にベース盤の後部を枢着差し渡し、折り畳み可能とし、前記回転範囲規制手段として、ベース盤上面と座盤裏面の一方に円弧状溝が設けられ、他方には前記円弧状溝の中を摺動する突起が設けられている。【選択図】図２
2005296363.tif 000002
【特許請求の範囲】
【請求項１】
脚部と、座部と、背もたれとを有する介護用シャワー椅子であって、座部を少なくともベース盤と座盤で構成し、ベース盤上に座盤を回転可能に載置し、座盤の回転ロック手段と、回転範囲規制手段を設けることを特徴とする介護用シャワー椅子。
【請求項２】
背もたれの左右の支柱を前下方にそれぞれ延設して前脚とし、背もたれの左右の支柱に後脚上端部をそれぞれ枢着し、左右の後脚間にベース盤の後部を枢着差し渡し、折り畳み可能とした請求項１に記載の介護用シャワー椅子。
【請求項３】
前記回転範囲規制手段として、ベース盤上面と座盤裏面の一方に円弧状溝が設けられ、他方には前記円弧状溝の中を摺動する突起が設けられている請求項１または請求項２に記載の介護用シャワー椅子。
【請求項４】
座盤の取付方向を変えることによって、座盤を回転不能な状態にすることができる請求項１〜請求項３に記載の介護用シャワー椅子。
【請求項５】
座盤の回転範囲を左右にそれぞれ４５度〜７５度とする請求項１〜請求項４に記載の介護用シャワー椅子。
【請求項６】
肘掛けを有する請求項１〜請求項５に記載の介護用シャワー椅子。
【請求項７】
肘掛けを跳ね上げ式とする請求項６に記載の介護用シャワー椅子。
【発明の詳細な説明】
【技術分野】
【０００１】
本発明は、高齢者や身体障害者がシャワーを浴びる際などに使用する、介護用シャワー椅子に関するものである。
【背景技術】
【０００２】
高齢者や身体障害者が浴室でシャワーを浴びる際に使用する椅子としては、軽量で安定性に優れることが要求されるため、金属パイプを骨組みとしたものが一般的である。例えば、図９に示すように、背もたれとアームレストを有し、不使用時には座部を跳ね上げて前脚と後脚を閉じ、容易に折り畳むことができる椅子が提供されている（特許文献１参照）。このような構造の浴室用椅子は、持ち運びや収納に便利で、狭い浴室内でも使いやすい。また、座席をボールベアリングを介して回転可能とした折り畳み椅子が特許文献２に開示されている。この椅子によると、椅子に座ったまま座席を回転して、会話や電話が自然な状態で行える。
【特許文献１】特開２００２−１９１５２３号公報
【特許文献２】実開昭５２−３９０９号公報
【発明の開示】
【発明が解決しようとする課題】
【０００３】
介護用シャワー椅子は通常浴室壁面に対向して置かれることは少なく、上記特許文献１の介護用シャワー椅子では、体の不自由な被介護者が立ち上がる際に浴室壁面の手すり等に手が届きにくいため、介助者の補助を必要としている。また、介助者が椅子に座った被介護者の身体を洗う場合、狭い浴室では椅子の周囲に十分なスペースがなく、さらに、背もたれが設けられていると背中が洗いにくく、介助がしにくいという問題があった。
【０００４】
また、特許文献２に開示された椅子では、回転ロック手段が備わっておらず、座席のみが自由に回転可能となされているので、体の不自由な人が使用する場合には、体が安定せず不安感を与える。座席が大きく回転すると体が椅子の脚や背もたれ支柱に当たるので、体がよじれて傾き転倒する可能性がある。さらに、浴室用の椅子としては洗浄、手入れしやすいことが求められるが、これらの椅子を浴室用に使用しても、座部の分解掃除が容易でない。
【課題を解決するための手段】
【０００５】
本発明は、上記従来の課題を解決するための手段として、脚部と、座部と、背もたれとを有する介護用シャワー椅子であって、座部を少なくともベース盤と座盤で構成し、ベース盤上に座盤を回転可能に載置し、座盤の回転ロック手段と、回転範囲規制手段を設けることを特徴とする介護用シャワー椅子を提供するものである。本発明の介護用シャワー椅子は、背もたれの左右の支柱を前下方にそれぞれ延設して前脚とし、背もたれの左右の支柱に後脚上端部をそれぞれ枢着し、左右の後脚間にベース盤の後部を枢着差し渡し、折り畳み可能とすることが望ましく、前記回転範囲規制手段として、ベース盤上面と座盤裏面の一方に円弧状溝が設けられ、他方には前記円弧状溝の中を摺動する突起が設けられていることが望ましい。また、本発明の介護用シャワー椅子は、座盤の取付方向を変えることによって、座盤を回転不能な状態にできることが望ましく、座盤の回転範囲は左右にそれぞれ４５度〜７５度とすることが望ましい。さらに、本発明の介護用シャワー椅子は、肘掛けを有することが望ましく、肘掛けを跳ね上げ式とすることが望ましい。
【発明の効果】
【０００６】
本発明の介護用シャワー椅子は、座盤が回転可能なので、被介護者が立ち上がる際に壁面の手すり等に手が届きやすい。また、介助者が被介護者の体を洗う際、椅子の周囲を移動する範囲が狭くなるので、狭い浴室でも介助しやすく、背もたれが付いていても、体を回転することによって背中部分を容易に洗うことができる。さらに、座盤の回転ロック手段が設けられているので、使用する人にとって安心感を与え、回転範囲規制手段が設けられているので、体の不自由な人が使用しても安全である。
【発明を実施するための最良の形態】
【０００７】
本発明を図１〜図８に示す一実施例によって説明する。この介護用シャワー椅子１は、図１に示すように、金属製パイプを骨組みとして構成され、背もたれ２と、背もたれ支柱３、３に根端を枢支された跳ね上げ式の肘掛け４、４と、背もたれ支柱３がそれぞれ前下方に延設されて構成される一対の前脚５、５と、背もたれ支柱３に上端部がそれぞれ枢着される一対の後脚６、６と、一対の後脚６間に枢着差し渡される座部７とからなる。跳ね上げ式の肘掛け４を設けたので、肘掛け４を上方に跳ね上げれば移乗する際に邪魔にならず、椅子の使用時は肘掛け４を水平状態にして肘を置き、楽な状態で座ることができる。また、前脚５及び後脚６は二重管スライド方式で伸縮自在とされており、使用者の体型に合わせて座部７の高さを調整することができる。
【０００８】
座部７は図２に示すように、ベース盤８と、座盤９と、座盤９の上面に被せられるクッション１０と、ベース盤８と座盤９の間に設置されて座盤９の回転摩擦を軽減するベアリングリテーナ１１とから構成される。ベース盤８は、左右の後脚６間に差し渡されたバー６１に後端部を枢着されている。
【０００９】
図３に示すように、ベース盤８は、前部が円形、後部がほぼ方形のブロー成形されたプラスチック製中空薄板である。その上面には、座盤９中央のボス９１が嵌入される中心孔８１と、５個の回転ロック用係止孔８２Ａ、８２Ａ、８２Ａ、８２Ｂ、８２Ｃと、円弧状溝８３が設けられている。回転ロック用係止孔は、ベース盤８前部周縁近くに３個、後部に１個、中心孔８１の前方に設置されている。ベース盤８前部周縁近くの左右の係止孔８２Ａ、８２Ａは、中心孔８１を基準として左右にそれぞれ６５度の位置に配置されている。また、前部正面の係止孔８２Ａと後部の係止孔８２Ｂと中心孔前方の係止孔８２Ｃは、中心線Ｌ上に配置されている。前部の係止孔８２Ａ、８２Ａ、８２Ａと後部の係止孔８２Ｂは同一円上に配置されている。円弧状溝８３は中心孔８１を中心とし、後部の±６５°の範囲で係止孔８２Ｃと同一円上に設けられている。さらにベース盤８には複数個の水抜き孔８４が設けられている。ベース盤８の裏面には、介護用シャワー椅子１の使用状態で左右の前脚５、５間に差し渡されたバー５１がスナップフィット係合するグリップ８５（図７参照）が設けられている。
【００１０】
座盤９は、図４（Ａ）の上面斜視図、図４（Ｂ）の裏面斜視図で示すように、ほぼ円形のプラスチック板であり、中央に孔９１が設けられ、孔９１の上部に金属製ナット９２が固定されている。座盤９には、３個のクッション係止孔９３が設けられており、前端部には、回転ロックを解除するための把持片９４が座盤９と一体的に設けられている。把持片９４がたわみやすくなるように、把持片９４の両側には、座盤９の中心方向に向かうスリット９５が設けられている。座盤９の裏面には、孔９１を中心とするボス９６と、回転ロック用の突起９７と回転範囲規制用の突起９８がそれぞれ１ケ設けられている。突起９７とボス９６と突起９８は中心線Ｍ上に配置されている。
【００１１】
クッション１０は、図５（Ａ）の上面斜視図、図５（Ｂ）の裏面斜視図で示すように円形で、軟質プラスチック製であり、その裏面には、座盤９の係止孔９３に嵌入される３個の固定用突起１０１が設けられている。
【００１２】
ベアリングリテーナ１１は、図６（Ａ）に示すように、中心孔１１１を有する円形のプラスチック製シートに複数の細長い貫通孔１１２を設け、金属製のニードルベアリング１１３を回転自在に保持したものである。ニードルベアリング１１３は、シートの中心から放射状に配列されている。図６（Ｂ）の断面図で示すように、ニードルベアリング１１３の径はシートの厚みよりも大きく、座部７の組立状態において、ニードルベアリング１１３がベース盤８の上面と、座盤９の裏面に接触している。シート表面における貫通孔１１２の幅は、ニードルベアリング１１３の径よりも小さくされており、使用中にニードルベアリング１１３が脱落することはない。
【００１３】
座部７を組み立てる順序は、ベース盤８上面にベアリングリテーナ１１を載せ、その上から座盤９の中央ボス９６をそれぞれの中心孔８１、１１１に嵌入するように座盤９を載せる。ベース盤８の中心孔８１の裏側からノブ付きボルト１２を通し、座盤９中央のナット９２に螺入して座盤９を取り付ける。ノブ付きボルト１２は、座盤に固定され、座盤とともに回転する。座盤９の上面にクッション１０を被せ、クッション係止孔９３に固定用突起１０１を嵌入して取り付ける。図７に座部７の組立断面図を示す。座部７の構造が簡単であり、組立や分解が容易で、洗浄する際に便利である。ニードルベアリング１１３はシートに保持されているので、分解しても飛散しない。
【００１４】
介護用シャワー椅子１を折り畳み状態にするには、肘掛け４を跳ね上げ、椅子本体を固定した状態でベース盤８の前部を上方に回動し、ベース盤８とバー５１とのスナップフィット係合を解除して、座部７を跳ね上げる。リンク機構（図示せず）により、座部７の跳ね上げに連動して前脚５と後脚６が前後方向に閉じられる。
【００１５】
この介護用シャワー椅子１を使用する場合、通常は座盤９の回転ロック用突起９７をベース盤８の前方中央の係止孔８２Ａに嵌入させておき、回転ロック状態にしておく。この状態から例えば右側に回転する場合は、まず、把持片９４を上方に引き上げて座盤９の回転ロックを解除する。把持片９４の両側にスリット９５が設けられており、また、クッション１０も変形するので、把持片９４を引き上げると回転ロック用突起９７が回転ロック用係止孔８２Ａから容易に抜き出される。その状態で体を右側に回転させると、右６５度までは自由に回転が可能である。この範囲では、座盤９裏面の突起９８がベース盤８上面の円弧状溝８３の中を自由に摺動する。なお、体を回転する場合は、必要に応じて肘掛け４を跳ね上げる。
【００１６】
把持片９４から手を離し、右６５度の位置まで回転すると突起９７がベース盤８前部右６５度に位置している係止孔８２Ａに嵌入し、回転がロックされる。さらに把持片９４を引き上げて６５度以上に回転しようとしても、突起９８が円弧状溝８３内の端部壁に当接するので、６５度以上の回転は阻止される。この実施例では、ベース盤の円弧状溝８３と座盤の突起９８で座盤９の回転範囲を規制している。
【００１７】
本発明の介護用シャワー椅子１は、座盤９が回転可能なので、被介護者が立ち上がる際に壁面の手すりなどを把持することが容易で、自立の意識が強くなり、介助者が被介護者の体を洗う際の負担が軽減される。また、背もたれで背中が隠れていても、体を回転することによって背中を容易に洗うことができる。そして、回転ロック機構が設けられているので、使用者に安心感を与える。
【００１８】
本実施例の場合は回転範囲を±６５度に設定したが、回転範囲が±４５度未満であると、座盤９を回転する利点が小さくなり、回転範囲が±７５度を越えると、被介護者の上体が背もたれ支柱３に当たり、体がよじれるおそれがある。回転範囲を規制することによって、使用者の体が背もたれ支柱３に当たることが防止され、足腰の弱い被介護者が使用する場合でも転倒するなどの危険がない。
【００１９】
次に、この介護用シャワー椅子１の別の使い方について説明する。使用する人によって座盤９を回転させる必要が無い場合または回転させたくない場合は、座盤９を取り付けているベース盤８裏側のノブ付きボルト１２を外し、クッション１０を被せた座盤９をベース盤８から一旦外す。次に、座盤９の向きを前後逆にしてベース盤８に載せ、回転ロック用突起９７がベース盤８の後部係止孔８２Ｂに嵌入するようにセットし、ノブ付きボルト１２で再び固定する。この時、座盤９の突起９８は、ベース盤８前部の回転ロック用係止孔８２Ｃに嵌入されている。
【００２０】
この取付状態を図８に示すが、把持片９４が後側に位置しているので、被介護者が誤って把持片９４を引き上げることはなく、例え何かが把持片９４に触れて、ベース盤８後部での回転ロックが万一解除されても、ベース盤８前部でも回転がロックされているため、不意に座盤９が回転することが無く、安全である。
【００２１】
なお、本実施例ではニードルベアリング１１３を保持したベアリングリテーナ１１を使用したが、これに限られることはなく、他のベアリングや、低摩擦係数の摺動部材を使用してもよい。また、係止孔８２Ａの数も自由に選択できる。
【図面の簡単な説明】
【００２２】
【図１】本発明による一実施例の介護用シャワー椅子の斜視図
【図２】座部の分解斜視図
【図３】ベース盤の斜視図
【図４】座盤の斜視図
【図５】クッションの斜視図
【図６】ベアリングリテーナの斜視図
【図７】座部の組立断面図
【図８】座盤を回転不能に取り付けた状態を示す介護用シャワー椅子の斜視図
【図９】従来例の介護用シャワー椅子の一例を示す斜視図
【符号の説明】
【００２３】
１    介護用シャワー椅子
２    背もたれ
３    背もたれ支柱
４    肘掛け
５    前脚
６    後脚
７    座部
８    ベース盤
９    座盤
１０  クッション
１１  ベアリングリテーナ
１２  ノブ付きボルト
Ｌ  中心線
Ｍ  中心線
【図１】
2005296363.tif 000003
【図２】
2005296363.tif 000004
【図３】
2005296363.tif 000005
【図４】
2005296363.tif 000006
【図５】
2005296363.tif 000007
【図６】
2005296363.tif 000008
【図７】
2005296363.tif 000009
【図８】
2005296363.tif 000010
【図９】
2005296363.tif 000011